【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、書き出し位置同期信号検出素子と、該書き出し位置同期信号検出素子と該偏向手段の光路の間に配置されたスリット状部材を有し、
該書き出し位置同期信号検出手段は、該偏向手段で反射し該第２の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該スリット状部材を通過するときの走査位置における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数１】
2005099673.tif 000001
なる条件を満足することを特徴とするマルチビーム光走査光学装置。
但し、δＭ（β）、δＭ（ＢＤ）は、該第１の光学系の光軸に最も近い位置に配置されている発光部から出射した光束のピントずれ量と定義する
【請求項２】
主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、第２の光学系と独立な第３の光学系と、書き出し位置同期信号検出素子と、該書き出し位置同期信号検出素子と第３の光学系の光路の間に配置されたスリット状部材を有し、
該書き出し位置同期信号検出手段は、該偏向手段で反射し該第３の光学系を通過した光束を該書き出し位置同期信号検出素子にて検出し、該被走査面上の結像スポットの走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該第３の光学系の主走査方向の焦点距離をｆ３、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該スリット状部材を通過するときの走査位置における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数２】
2005099673.tif 000002
なる条件を満足することを特徴とするマルチビーム光走査光学装置。
但し、δＭ（β）、δＭ（ＢＤ）は、該第１の光学系の光軸に最も近い位置に配置されている発光部から出射した光束のピントずれ量と定義する
【請求項３】
前記書き出し位置同期信号検出手段は、前記偏向手段で反射された３つ以上の光束の全てを該書き出し位置同期信号検出素子にて検出し、前記被走査面上の結像スポットの走査開始位置のタイミング信号を検出していることを特徴とする請求項１又は２記載のマルチビーム光走査光学装置。
【請求項４】
前記スリット状部材は、該スリット状部材に入射する３つ以上の光束の進行方向に沿って移動可能であることを特徴とする請求項１乃至３の何れか一項記載のマルチビーム光走査光学装置。
【請求項５】
前記スリット状部材は、該スリット状部材に入射する３つ以上の光束の進行方向に対して略垂直な断面内において回動可能であることを特徴とする請求項１乃至３の何れか一項記載のマルチビーム光走査光学装置。
【請求項６】
主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、書き出し位置同期信号検出素子を有し、
該書き出し位置同期信号検出手段は、該偏向手段で反射し該第２の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該書き出し位置同期信号検出素子の受光面における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数３】
2005099673.tif 000003
なる条件を満足することを特徴とするマルチビーム光走査光学装置。
但し、δＭ（β）、δＭ（ＢＤ）は、該第１の光学系の光軸に最も近い位置に配置されている発光部から出射した光束のピントずれ量と定義する
【請求項７】
主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、第２の光学系と独立な第３の光学系と、書き出し位置同期信号検出素子を有し、
該書き出し位置同期信号検出手段は、該偏向手段で反射し、該第３の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該第３の光学系の主走査方向の焦点距離をｆ３、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該書き出し位置同期信号検出素子の受光面における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数４】
2005099673.tif 000004
なる条件を満足することを特徴とするマルチビーム光走査光学装置。
但し、δＭ（β）、δＭ（ＢＤ）は、該第１の光学系の光軸に最も近い位置に配置されている発光部から出射した光束のピントずれ量と定義する
【請求項８】
前記書き出し位置同期信号検出手段は、前記偏向手段で反射された３つ以上の光束の全てを該書き出し位置同期信号検出素子にて検出し、前記被走査面上の結像スポットの走査開始位置のタイミング信号を検出していることを特徴とする請求項６又は７記載のマルチビーム光走査光学装置。
【請求項９】
請求項１乃至８の何れか一項に記載のマルチビーム光走査光学装置と、前記被走査面に配置された感光体と、前記マルチビーム光走査光学装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項９に記載のマルチビーム光走査光学装置と、外部機器から入力したコードデータを画像信号に変換して前記マルチビーム光走査光学装置に入力せしめるプリンタコントローラとを有していることを特徴とする画像形成装置。
【請求項１１】
各々が請求項１乃至８の何れか一項に記載のマルチビーム光走査光学装置の被走査面に配置され、互いに異なった色の画像を形成する複数の像担持体とを有することを特徴とするカラー画像形成装置。
【請求項１２】
外部機器から入力した色信号を異なった色の画像データに変換して各々のマルチビーム光走査光学装置に入力せしめるプリンタコントローラを有していることを特徴とする請求項１１記載のカラー画像形成装置。
【手続補正２】
【補正対象書類名】明細書
【補正対象項目名】００２０
【補正方法】変更
【補正の内容】
【００２０】
本発明の第一の解決手段は、主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、書き出し位置同期信号検出素子と、該書き出し位置同期信号検出素子と該偏向手段の光路の間に配置されたスリット状部材を有し、
該書き出し位置同期信号検出手段は、該偏向手段で反射し、該第２の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該スリット状部材を通過するときの走査位置における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数１】
2005099673.tif 000005
なる条件を満足することを特徴とする。
但し、δＭ（β）、δＭ（ＢＤ）は、該第１の光学系の光軸に最も近い位置に配置されている発光部から出射した光束のピントずれ量と定義する
【手続補正３】
【補正対象書類名】明細書
【補正対象項目名】００２３
【補正方法】変更
【補正の内容】
【００２３】
本発明の第二の解決手段は、主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、第２の光学系と独立な第３の光学系と、書き出し位置同期信号検出素子と、該書き出し位置同期信号検出素子と第３の光学系の光路の間に配置されたスリット状部材を有し、
該書き出し位置同期信号検出手段は、該偏向手段で反射し該第３の光学系を通過した光束を該書き出し位置同期信号検出素子にて検出し、該被走査面上の結像スポットの走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該第３の光学系の主走査方向の焦点距離をｆ３、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該スリット状部材を通過するときの走査位置における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数２】
2005099673.tif 000006
なる条件を満足することを特徴とする。
但し、δＭ（β）、δＭ（ＢＤ）は、該第１の光学系の光軸に最も近い位置に配置されている発光部から出射した光束のピントずれ量と定義する
【手続補正４】
【補正対象書類名】明細書
【補正対象項目名】００２６
【補正方法】変更
【補正の内容】
【００２６】
本発明の第三の解決手段は、主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、書き出し位置同期信号検出素子を有し、
該書き出し位置同期信号検出手段は、該偏向手段で反射し、該第２の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該書き出し位置同期信号検出素子の受光面における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数３】
2005099673.tif 000007
なる条件を満足することを特徴とする。
但し、δＭ（β）、δＭ（ＢＤ）は、該第１の光学系の光軸に最も近い位置に配置されている発光部から出射した光束のピントずれ量と定義する
【手続補正５】
【補正対象書類名】明細書
【補正対象項目名】００２９
【補正方法】変更
【補正の内容】
【００２９】
本発明の第四の構成は、主走査方向及び副走査方向に間隔を有する３つ以上の発光部を有する光源手段と、該光源手段から出射した３つ以上の発散光束の状態を他の状態に変える第１の光学系と、該第１の光学系を通過した３つ以上の光束の少なくとも主走査方向の光束幅を制限する絞りと、該絞りを通過した３つ以上の光束を反射する偏向手段と、該偏向手段で反射された３つ以上の光束を被走査面上に結像スポットとして結像させる第２の光学系と、該被走査面上の結像スポットの走査開始位置のタイミング信号を検出する書き出し位置同期信号検出手段と、を有するマルチビーム光走査光学装置において、
該書き出し位置同期信号検出手段は、第２の光学系と独立な第３の光学系と、書き出し位置同期信号検出素子を有し、
該書き出し位置同期信号検出手段は、該偏向手段で反射し、該第３の光学系を通過した光束を該書き出し位置同期信号検出素子にて検出し、該被走査面上の走査開始位置のタイミング信号を検出しており、
該３つ以上の発光部における最も離間した発光部同志の主走査方向の間隔をＳ１、
該第１の光学系の焦点距離をｆ１、
該絞りから該偏向手段の偏向面までの距離をＬ１、
該第２の光学系の主走査方向の焦点距離をｆ２、
該第３の光学系の主走査方向の焦点距離をｆ３、
該被走査面に入射する３つ以上の光束の主光線と該被走査面の法線との成す副走査方向の角度の平均値をα、
任意の走査位置の該被走査面に入射する３つ以上の光束の主光線と該被走査面の法線との成す主走査方向の角度の平均値をβ、
該平均値βである走査位置における主走査方向のピントずれ量をδＭ（β）、
該３つ以上の光束が該書き出し位置同期信号検出素子の受光面における主走査方向のピントずれ量をδＭ（ＢＤ）、
該被走査面上における主走査方向の解像度から決定される主走査方向の１インチ当たりの画素数をＮＭ、
該３つ以上の発光部における最も離間した発光部から出射した２つの光束の該被走査面上における結像スポットの副走査方向の間隔をＰ、
としたとき、
【数４】
2005099673.tif 000008
なる条件を満足することを特徴とする。
但し、δＭ（β）、δＭ（ＢＤ）は、該第１の光学系の光軸に最も近い位置に配置されている発光部から出射した光束のピントずれ量と定義する